【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
検査対象物（Ｏ）の磁気共鳴画像データを作成するための磁気共鳴断層撮影システムの作動法において、シーケンスモジュールで実施される以下の工程、すなわち
一連の空間選択性の高周波励起パルス（α1、α2）のうちそれぞれ１つの高周波スライス励起パルス（α1、α2）により第１の時間間隔（Ｔα）において検査対象物（Ｏ）内の複数のスライスを励起する工程と、
最後の励起パルス（α2）後にプレパレーションブロック（π）を実施する工程であって、その際プレパレーションブロック（π）は少なくとも１つの高周波リフォーカスパルス（β）を有し、各スライスに対しそれぞれ１つのエコー信号（Ｅ1a、Ｅ1b）を発生するように形成され、２つの連続するエコー信号（Ｅ1a、Ｅ1b）の時間間隔が第１の時間間隔（Ｔα）と等しいものとする工程と、
プレパレーションブロック（π）により発生された最後のエコー信号（Ｅ1a）から第２の時間間隔（Ｔγ）において第２の高周波リフォーカスパルス（γ）を送出する工程であって、その際第２のリフォーカスパルス（γ）は各スライスに対しそれぞれ別の１つのエコー信号（Ｅ1b、Ｅ2b）を発生するように形成され、２つの連続するエコー信号（Ｅ1b、Ｅ2b）の時間間隔が第１の時間間隔（Ｔα）と等しいものとする工程と、
高周波リフォーカスパルス（δ、ε、ζ）毎にそれぞれ複数の時間的に離れたエコー信号（Ｅ1a、Ｅ1b、Ｅ2a、Ｅ2b）を作成するために、少なくとも１つの別の高周波リフォーカスパルス（δ、ε、ζ）をそれぞれ先行する高周波リフォーカスパルス（γ、δ、ε）の後の第３の時間間隔（Ｔδ）において送出する工程であって、その際第３の時間間隔（Ｔδ）は高周波リフォーカスパルス（δ、ε、ζ）毎のエコー信号（Ｅ1a、Ｅ1b、Ｅ2a、Ｅ2b）の数が励起されたスライスの数の２倍になるように選ばれるものとする工程を有することを特徴とする磁気共鳴断層撮影システムの作動方法。
【請求項２】
高周波リフォーカスパルス（β、γ、δ、ε、ζ）毎の複数のエコー信号（Ｅ1a、Ｅ1b、Ｅ2a、Ｅ2b）が読み出し傾斜磁場のもとに相応する数の読み取り窓（ＡＱ）において読み取られ、その際それぞれ１つの傾斜磁場パルス列（ＧＲＯ0）が読み出し方向に２つの連続する高周波スライス励起パルス（α1、α2）の間に投入され、その０次モーメントが、該当するスライスの２つの連続するエコー信号（Ｅ1a、Ｅ1b、Ｅ2a、Ｅ2b）の間にこの時間中に読み出し方向に投入された傾斜磁場パルス列（ＧＲＯ1、ＧＲＯ2、ＧＲＯ3）に基づき蓄積される０次モーメントと強度的に等しいことを特徴とする請求項１記載の方法。
【請求項３】
２つの連続する高周波スライス励起パルス（α1、α2）のアイソディレイ点の間にスライス選択方向に投入されたすべての傾斜磁場パルス（ＧＳ1,1、ＧＳ2,1、ＧＳ1,2）の蓄積された０次モーメントがゼロであることを特徴とする請求項１または２記載の方法。
【請求項４】
最後の励起パルス（α2）とプレパレーションブロック（π）との間に傾斜磁場パルス列（ＧＲＰ）が読み出し方向に投入され、このパルス列が、最後に励起されたスライスのスピンがプレパレーションブロック（π）の開始とプレパレーションブロック（π）後のこのスライスの最初のエコー信号（Ｅ2a）との間に蓄積する０次モーメントを読み出し方向に正確に補償するとともに、
プレパレーションブロック（π）により発生された最後のエコー信号（Ｅ1a）と第２の高周波リフォーカスパルス（γ）との間に傾斜磁場パルス列（ＧＲＰ）が読み出し方向に投入され、このパルス列が、最初に励起されたスライスのスピンが第２のリフォーカスパルス（γ）のアイソディレイ点と第２の高周波リフォーカスパルス（γ）後に最初に励起されたスライスの最初のエコー信号（Ｅ1b）との間に蓄積する０次モーメントを読み出し方向に正確に補償することを特徴とする請求項２または３記載の方法。
【請求項５】
高周波スライス励起パルス（α1、α2）の時間的期間が高周波リフォーカスパルス（β、γ、δ、ε、ζ）の時間的期間より短いことを特徴とする請求項１から４の１つに記載の方法。
【請求項６】
プレパレーションブロック（π）が、このブロックにより検出された組織範囲において横磁化を組織の拡散特性に関連して弱めることを特徴とする請求項１から５の１つに記載の方法。
【請求項７】
スライスの走査すべきｋ空間がそれぞれ１つのシーケンスモジュールの唯一のエコートレインで検出されることを特徴とする請求項１から６の１つに記載の方法。
【請求項８】
スライスのそれぞれ走査すべきｋ空間が複数のシーケンスモジュールを有するパルスシーケンスにより検出され、各シーケンスモジュールのエコートレインによりエコー信号を基にしてスライス毎に２つのセグメントの生データが取得されることを特徴とする請求項１から６の１つに記載の方法。
【請求項９】
ｋ空間のセグメント化がプロペラトラジェクトリにより行われることを特徴とする請求項８記載の方法。
【請求項１０】
以下の工程、すなわち
請求項１から９の１つに記載の方法を使用して磁気共鳴断層撮影システム（１）によりシーケンスモジュールで高周波リフォーカスパルス（β、γ、δ、ε、ζ）に属する種々の読み取り窓（ＡＱ）において取得された生データを用意する工程と、
種々の読み取り窓（ＡＱ）からの生データに対し別々の強度画像を計算する工程と、
同一のスライスに属する強度画像をこのスライスの唯一のスライス画像にするために組み合わせる工程を有することを特徴とする検査対象物の磁気共鳴画像データの作成方法。
【請求項１１】
検査対象物の磁気共鳴画像データを作成する方法において、以下の工程、すなわち
請求項１から９の１つに記載の方法を使用して磁気共鳴断層撮影システム（１）によりシーケンスモジュールで高周波リフォーカスパルス（β、γ、δ、ε、ζ）に属する種々の読み取り窓（ＡＱ）において取得された生データを用意する工程と、
生データが種々の読み取り窓（ＡＱ）で取得された特定のスライスの画像データを複素数値的に組み合わせる工程を有することを特徴とする磁気共鳴画像データの作成方法。
【請求項１２】
少なくとも１つのシーケンスモジュールを有する検査対象物（Ｏ）の磁気共鳴画像データを作成するための磁気共鳴断層撮影システム（１）の制御用のパルスシーケンスにおいて、シーケンスモジュールが少なくとも以下のパルスシーケンスを有すること、すなわち
それぞれ１つの高周波スライス励起パルス（α1、α2）により検査対象物（Ｏ）内の複数のスライスを励起するために互いに第１の時間間隔（Ｔα）において空間選択性の高周波スライス励起パルス（α1、α2）の列と、
高周波スライス励起パルス（α1、α2）の列の最後の励起パルス（α2）後の時間間隔におけるプレパレーションブロック（π）であって、少なくとも１つの高周波リフォーカスパルス（β）を有するとともに、各スライスに対してパルスシーケンスの送出時にそれぞれ１つのエコー信号（Ｅ1a、Ｅ2a）が発生され、２つの連続するエコー信号（Ｅ1a、Ｅ2a）の時間間隔が第１の時間間隔（Ｔα）と等しいように形成されているプレパレーションブロック（π）と、
パルスシーケンスの送出時にプレパレーションブロック（π）により発生される最後のエコー信号（Ｅ1a）からの第２の時間間隔（Ｔγ）における第２の高周波リフォーカスパルス（γ）であって、各スライスに対してパルスシーケンスの送出時にそれぞれ別の１つのエコー信号（Ｅ1b、Ｅ2b）が発生され、２つの連続するエコー信号（Ｅ1b、Ｅ2b）の時間間隔が第１の時間間隔（Ｔα）と等しいように形成されている第２の高周波リフォーカスパルス（γ）と、
高周波リフォーカスパルス（δ、ε、ζ）毎にそれぞれ複数の時間的に離れたエコー信号（Ｅ1a、Ｅ1b、Ｅ2a、Ｅ2b）を作成するためにそれぞれ先行する高周波リフォーカスパルス（γ、δ、ε）後のそれぞれ第３の時間間隔（Ｔδ）における少なくとも１つの別の高周波リフォーカスパルス（δ、ε、ζ）であって、第３の時間間隔（Ｔδ）が、高周波リフォーカスパルス（δ、ε、ζ）毎のエコー信号（Ｅ1a、Ｅ1b、Ｅ2a、Ｅ2b）の数が励起されたスライスの数の２倍であるように選ばれる別の高周波リフォーカスパルス（δ、ε、ζ）を有することを特徴とするパルスシーケンス。
【請求項１３】
磁気共鳴断層撮影システム（１）の制御装置（１３）であって、磁気共鳴断層撮影システム（１）をパルスシーケンスにより検査対象物（Ｏ）の磁気共鳴画像データを作成するための動作中に次のように制御すること、すなわち
検査対象物（Ｏ）内の複数のスライスが第１の時間間隔（Ｔα）において一連の空間選択性の高周波スライス励起パルス（α1、α2）のそれぞれ１つにより励起され、
プレパレーションブロック（π）が最後の励起パルス（α2）の後で実施され、このプレパレーションブロック（π）は、少なくとも１つの高周波リフォーカスパルス（β）を有するとともに、各スライスに対してそれぞれ１つのエコー信号（Ｅ1a、Ｅ2a）が発生され、２つの連続するエコー信号（Ｅ1a、Ｅ2a）の時間間隔が第１の時間間隔（Ｔα）と等しいように形成され、
第２の高周波リフォーカスパルス（γ）がプレパレーションブロック（γ）により発生された最後のエコー信号（Ｅ1aa）から第２の時間間隔（Ｔγ）において送出され、この第２の高周波リフォーカスパルス（γ）は、各スライスに対してそれぞれ別の１つのエコー信号（Ｅ1b、Ｅ2b）が発生され、２つの連続するエコー信号（Ｅ1b、Ｅ2b）の時間間隔が第１の時間間隔（Ｔα）と等しいように形成され、
高周波リフォーカスパルス（δ、ε、ζ）毎にそれぞれ複数の時間的に離れたエコー信号（Ｅ1a、Ｅ1b、Ｅ2a、Ｅ2b）を作成するために、少なくとも１つの別の高周波リフォーカスパルス（δ、ε、ζ）がそれぞれ先行する高周波リフォーカスパルス（γ、δ、ε）後の第３の時間間隔（Ｔδ）において送出され、その際第３の時間間隔（Ｔδ）は、高周波リフォーカスパルス（δ、ε、ζ）毎のエコー信号（Ｅ1a、Ｅ1b、Ｅ2a、Ｅ2b）の数が励起されたスライスの数の２倍であるように選ばれることを特徴とする制御装置。
【請求項１４】
磁気共鳴断層撮影システム（１）であって、以下の構成要素、すなわち
静磁場磁石システム（４）、
高周波送信アンテナシステム（５）、
傾斜磁場システム（６）、
高周波受信アンテナシステム（７）、
請求項１３による制御装置（１３）
を備えることを特徴とする磁気共鳴断層撮影システム。
【請求項１５】
プログラムが制御装置（１３）において実行されるときに請求項１から１１の１つによる方法における全工程を実施するために、プログラムコード部分を備え、磁気共鳴断層撮影システム（１）用のプログラミング可能な制御装置（１３）のメモリに直接にロード可能であるコンピュータプログラム製品。